(57)【特許請求の範囲】
【請求項１】
コア網のポリシ制御装置とアクセス網のポリシ制御装置が連携してＱｏＳサービスを提供する通信網において、前記コア網のポリシ制御装置と前記アクセス網のポリシ制御装置を備える通信システムであって、
前記コア網のポリシ制御装置と前記アクセス網のポリシ制御装置との間で送受信されるメッセージを中継するアクセス網のＧＷ装置を更に備え、
前記ＧＷ装置は、端末の位置依存アドレスと前記アクセス網のポリシ制御装置のアドレスとの対応関係を保持し、
前記コア網のポリシ制御装置は、端末の位置非依存アドレスと位置依存アドレスとの対応関係を含むメッセージを受信したときに、当該メッセージに含まれる対応関係を保持し、前記位置非依存アドレスを含むＱｏＳサービス指示を受信したときに、当該対応関係に基づいて前記位置依存アドレスを前記ＱｏＳサービス指示に付加して前記ＧＷ装置に送信し、
前記ＱｏＳサービス指示を受信した前記ＧＷ装置が、前記端末の位置依存アドレスと前記アクセス網のポリシ制御装置のアドレスとの対応関係に基づいて、前記ＱｏＳサービス指示を前記位置依存アドレスに対応するアクセス網のポリシ制御装置に送信し、
前記アクセス網のポリシ制御装置は、端末の位置非依存アドレスと位置依存アドレスとの対応関係を含むメッセージを受信したときに、当該メッセージに含まれる対応関係を保持し、当該対応関係を保持した後に、前記位置非依存アドレスと前記位置依存アドレスを含む前記ＱｏＳサービス指示を受信したときに、当該対応関係に基づいて、当該ＱｏＳサービス指示に含まれるアドレスの正当性を確認する
ことを特徴とする通信システム。
【請求項２】
コア網のポリシ制御装置とアクセス網のポリシ制御装置が連携してＱｏＳサービスを提供する通信網において、前記コア網のポリシ制御装置と前記アクセス網のポリシ制御装置を備える通信システムであって、
前記コア網のポリシ制御装置と前記アクセス網のポリシ制御装置との間で送受信されるメッセージを中継するコア網のＧＷ装置とアクセス網のＧＷ装置を更に備え、
前記コア網のＧＷ装置は、端末の位置非依存アドレスと前記コア網のポリシ制御装置のアドレスとの対応関係を保持し、前記アクセス網のＧＷ装置は、端末の位置依存アドレスと前記アクセス網のポリシ制御装置のアドレスとの対応関係を保持し、
前記コア網のＧＷ装置は、端末の位置非依存アドレスと位置依存アドレスとの対応関係を含むメッセージを受信したときに、前記端末の位置非依存アドレスと前記コア網のポリシ制御装置のアドレスとの対応関係に基づいて、前記メッセージを前記位置非依存アドレスに対応するコア網のポリシ制御装置に送信し、
前記メッセージを受信した前記コア網のポリシ制御装置は、前記メッセージに含まれる対応関係を保持し、前記位置非依存アドレスを含むＱｏＳサービス指示を受信したときに、当該対応関係に基づいて前記位置依存アドレスを前記ＱｏＳサービス指示に付加して前記アクセス網のＧＷ装置に送信し、
前記ＱｏＳサービス指示を受信した前記アクセス網のＧＷ装置が、前記端末の位置依存アドレスと前記アクセス網のポリシ制御装置のアドレスとの対応関係に基づいて、前記ＱｏＳサービス指示を前記位置依存アドレスに対応するアクセス網のポリシ制御装置に送信する
ことを特徴とする通信システム。
【請求項３】
前記アクセス網のポリシ制御装置は、端末の位置非依存アドレスと位置依存アドレスとの対応関係を含むメッセージを受信したときに、当該メッセージに含まれる対応関係を保持し、当該対応関係を保持した後に、前記位置非依存アドレスと前記位置依存アドレスを含むメッセージを前記コア網から受信したときに、当該対応関係に基づいて、当該メッセージに含まれるアドレスの正当性を確認する
ことを特徴とする請求項２に記載の通信システム。
【請求項４】
コア網のポリシ制御装置とアクセス網のポリシ制御装置が連携してＱｏＳサービスを提供する通信網において、前記コア網のポリシ制御装置と前記アクセス網のポリシ制御装置との間で送受信されるメッセージを中継するＧＷ装置と、前記アクセス網のポリシ制御装置とを備える通信システムであって、
前記ＧＷ装置は、
端末の位置依存アドレスと前記アクセス網のポリシ制御装置のアドレスとの対応関係を保持する対応関係格納手段と、
前記コア網のポリシ制御装置から送出されたＱｏＳサービス指示であって、端末の位置依存アドレスと位置非依存アドレスとを含むＱｏＳサービス指示を受信する受信手段と、
前記ＱｏＳサービス指示の中の位置依存アドレスに基づいて、前記対応関係格納手段を参照することにより、当該位置依存アドレスに対応するアクセス網のポリシ制御装置を特定する特定手段と、
前記特定手段により特定されたアクセス網のポリシ制御装置に前記ＱｏＳサービス指示を送信する送信手段とを備え、
前記アクセス網のポリシ制御装置は、端末の位置非依存アドレスと位置依存アドレスとの対応関係を含むメッセージを受信したときに、当該メッセージに含まれる対応関係を保持し、当該対応関係を保持した後に、前記位置非依存アドレスと前記位置依存アドレスを含む前記ＱｏＳサービス指示を受信したときに、当該対応関係に基づいて、当該ＱｏＳサービス指示に含まれるアドレスの正当性を確認する
ことを特徴とする通信システム。
【請求項５】
コア網のポリシ制御装置とアクセス網のポリシ制御装置が連携してＱｏＳサービスを提供する通信網において、前記コア網のポリシ制御装置と前記アクセス網のポリシ制御装置との間で送受信されるメッセージを中継するＧＷ装置であって、
端末の位置非依存アドレスと前記コア網のポリシ制御装置のアドレスとの対応関係を保持する対応関係格納手段と、
前記アクセス網のポリシ制御装置から送出されたメッセージであって、端末の位置非依存アドレスと位置依存アドレスを含むメッセージを受信する受信手段と、
前記メッセージの中の位置非依存アドレスに基づいて、前記対応関係格納手段を参照することにより、当該位置非依存アドレスに対応するコア網のポリシ制御装置を特定する特定手段と、
前記特定手段により特定されたコア網のポリシ制御装置に前記メッセージを送信する送信手段と
を備えることを特徴とするＧＷ装置。
【請求項６】
コア網のポリシ制御装置とアクセス網のポリシ制御装置が連携してＱｏＳサービスを提供する通信網において、前記コア網のポリシ制御装置と前記アクセス網のポリシ制御装置を備える通信システムが実行するポリシ制御装置連携方法であって、
前記通信システムは、前記コア網のポリシ制御装置と前記アクセス網のポリシ制御装置との間で送受信されるメッセージを中継するアクセス網のＧＷ装置を更に備え、
前記ＧＷ装置は、端末の位置依存アドレスと前記アクセス網のポリシ制御装置のアドレスとの対応関係を保持し、
前記コア網のポリシ制御装置が、端末の位置非依存アドレスと位置依存アドレスとの対応関係を含むメッセージを受信したときに、当該メッセージに含まれる対応関係を保持し、前記位置非依存アドレスを含むＱｏＳサービス指示を受信したときに、当該対応関係に基づいて前記位置依存アドレスを前記ＱｏＳサービス指示に付加して前記ＧＷ装置に送信するステップと、
前記ＱｏＳサービス指示を受信した前記ＧＷ装置が、前記端末の位置依存アドレスと前記アクセス網のポリシ制御装置のアドレスとの対応関係に基づいて、前記ＱｏＳサービス指示を前記位置依存アドレスに対応するアクセス網のポリシ制御装置に送信するステップとを備え、
前記アクセス網のポリシ制御装置が、端末の位置非依存アドレスと位置依存アドレスとの対応関係を含むメッセージを受信したときに、当該メッセージに含まれる対応関係を保持し、当該対応関係を保持した後に、前記位置非依存アドレスと前記位置依存アドレスを含む前記ＱｏＳサービス指示を受信したときに、当該対応関係に基づいて、当該ＱｏＳサービス指示に含まれるアドレスの正当性を確認する
ことを特徴とするポリシ制御装置連携方法。
【請求項７】
コア網のポリシ制御装置とアクセス網のポリシ制御装置が連携してＱｏＳサービスを提供する通信網において、前記コア網のポリシ制御装置と前記アクセス網のポリシ制御装置を備える通信システムが実行するポリシ制御装置連携方法であって、
前記通信システムは、前記コア網のポリシ制御装置と前記アクセス網のポリシ制御装置との間で送受信されるメッセージを中継するコア網のＧＷ装置とアクセス網のＧＷ装置を更に備え、
前記コア網のＧＷ装置は、端末の位置非依存アドレスと前記コア網のポリシ制御装置のアドレスとの対応関係を保持し、前記アクセス網のＧＷ装置は、端末の位置依存アドレスと前記アクセス網のポリシ制御装置のアドレスとの対応関係を保持し、
前記コア網のＧＷ装置が、端末の位置非依存アドレスと位置依存アドレスとの対応関係を含むメッセージを受信したときに、前記端末の位置非依存アドレスと前記コア網のポリシ制御装置のアドレスとの対応関係に基づいて、前記メッセージを前記位置非依存アドレスに対応するコア網のポリシ制御装置に送信するステップと、
前記メッセージを受信した前記コア網のポリシ制御装置が、前記メッセージに含まれる対応関係を保持し、前記位置非依存アドレスを含むＱｏＳサービス指示を受信したときに、当該対応関係に基づいて前記位置依存アドレスを前記ＱｏＳサービス指示に付加して前記アクセス網のＧＷ装置に送信するステップと、
前記ＱｏＳサービス指示を受信した前記アクセス網のＧＷ装置が、前記端末の位置依存アドレスと前記アクセス網のポリシ制御装置のアドレスとの対応関係に基づいて、前記ＱｏＳサービス指示を前記位置依存アドレスに対応するアクセス網のポリシ制御装置に送信するステップと
を備えることを特徴とするポリシ制御装置連携方法。
【請求項８】
前記アクセス網のポリシ制御装置が、端末の位置非依存アドレスと位置依存アドレスとの対応関係を含むメッセージを受信したときに、当該メッセージに含まれる対応関係を保持し、当該対応関係を保持した後に、前記位置非依存アドレスと前記位置依存アドレスを含むメッセージを前記コア網から受信したときに、当該対応関係に基づいて、当該メッセージに含まれるアドレスの正当性を確認するステップ
を更に備えることを特徴とする請求項７に記載のポリシ制御装置連携方法。
【発明の詳細な説明】
【技術分野】
【０００１】
本発明は、コア網とアクセス網のぞれぞれが、QoSサービスを実現するポリシ制御装置を備える通信網において、コア網のポリシ制御装置とアクセス網のポリシ制御装置を連携させる技術に関連するものである
【背景技術】
【０００２】
上記技術の前提となる従来の通信網の構成、及び処理シーケンスを図１を参照して説明する。
【０００３】
図１に示す通信網は、例えば、３GPPで規定されたIPパケット通信網である（非特許文献１〜非特許文献３等）。図１に示すとおり、当該通信網は、アクセス網１００とコア網２００がルータ１１、２１で接続され、アクセス網１００のルータ１１に端末１２が接続される。コア網２００は、コア網外のパケット網との接続点となるGW（ゲートウェイ）２２を備え、GW２２を介して外部パケット網の端末２３が接続される。
【０００４】
アクセス網１００とコア網２００はそれぞれポリシ制御装置１０、２０を備える。ポリシ制御装置１０、２０はそれぞれ、大規模ネットワークにおいて装置のスケールアウトをするために、複数の装置により構成され、並列処理が行われる。また、コア網２００は、QoSサービスを指示するアプリケーション機能２４を備える。
【０００５】
上記のようにポリシ制御装置１０、２０はそれぞれ複数の装置からなるものであるが、「ポリシ制御装置１０」と記載した場合、特に断らない限り、複数の装置のどれかを特定しない各々の装置あるいは任意の装置を意味する。複数の装置のうちの特定の装置を示す場合は、例えば、「βに対応するポリシ制御装置１０」のように直接的にもしくは間接的に、特定の装置であることを示す。ポリシ制御装置２０についても同様である。なお、以下では、ポリシ制御装置１０をアクセス網ポリシ制御装置１０、ポリシ制御装置２０をコア網ポリシ制御装置２０とも称する。
【０００６】
図１に示す通信網において、コア網２００とアクセス網１００では端末１２に対して異なるIPアドレス(位置非依存・位置依存)が付与される。以降、位置非依存のIPアドレスをα、位置依存のIPアドレスをβとする。端末１２がアクセス網１００に接続される位置は一定でないため、位置依存のIPアドレス（β）は一つに定まらない。
【０００７】
図１に示すように、コア網ポリシ制御装置２０は、ユーザのプロファイル(ユーザID・利用可能なサービスなど)、及び端末１２の位置依存のIPアドレス(β)と位置非依存のIPアドレス(α)の対応関係を格納する。更に、コア網ポリシ制御装置２０は、βと、βが割り当てられた端末１２に関する処理を行う特定のアクセス網ポリシ制御装置１０との対応関係を静的に保持している。
【０００８】
アクセス網ポリシ制御装置１０にはネットワークリソースのプロファイル(回線の総リソース・割り当て済みリソースなど)が格納されている。
【０００９】
以下、従来技術におけるコア網ポリシ制御装置２００とアクセス網ポリシ制御装置１００を連携させるための処理として、（１）端末接続時の処理(連携における前処理)、及び（２）QoSサービス実行時の処理(実際の連携)を図１を参照して説明する。
【００１０】
（１）端末接続時の処理(連携における前処理)
端末１２がアクセス網１００およびコア網２００に接続した際(ステップ１)、その接続を検知したGW２２はコア網ポリシ制御装置にαとβの対応関係を通知する(ステップ２)。コア網ポリシ制御装置２０はこれを保持する(ステップ３)。コア網ポリシ制御装置２０はアクセス網ポリシ制御装置１０にαとβの対応関係を通知する(ステップ４）。
【００１１】
（２）QoSサービス実行時の処理(実際の連携)
コア網ポリシ制御装置２００はαを含むポリシ制御の指示を受ける（ステップ５）と、ユーザプロファイルを参照して、指示に係るサービスが当該ユーザに許容されているサービスかどうかを確認するとともに、ステップ３で保持したαとβの対応関係を参照して、αをβに変換し、静的に保持しているβとアクセス網ポリシ制御装置１０のアドレスの対応関係を参照して、βに対応するアクセス網ポリシ制御装置１０を特定し、特定したアクセス網ポリシ制御装置１０にQoSサービス実行を依頼する(ステップ６)。
【００１２】
アクセス網ポリシ制御装置１０はネットワークリソースのプロファイルを参照して、QoSサービスに必要なリソース(帯域)を確保し、アクセス網１００のルータ１１にQoSサービス実行を指示する(ステップ７)。
【００１３】
なお、上記の処理において、ステップ１は非特許文献１に規定され、ステップ２、３、５、７は非特許文献２に規定され、ステップ４、６は非特許文献３に規定されている。
【先行技術文献】
【非特許文献】
【００１４】
【非特許文献１】3GPP TS 23.402 "Architecture Enhancements for non-3GPP accesses", v10.0.0
【非特許文献２】3GPP TS 23.203 "Policy and charging control architecture", v10.0.0
【非特許文献３】3GPP TR 23.839 "Study on Support of BBF Access Interworking", v0.2.0
【発明の概要】
【発明が解決しようとする課題】
【００１５】
図１に示すようなコア網２００とアクセス網１００を有する通信網においては、要求条件として、コア網２００とアクセス網１００はそれぞれ独立に管理運用する必要があり、更に、コア網ポリシ制御装置２０の管理しているデータベースの不整合等に備える必要がある。
【００１６】
しかしながら、図１に示したように、従来の通信網では、端末１２の位置依存のIPアドレス（β）と当該端末１２に関する処理を行うアクセス網ポリシ制御装置１０の対応関係、すなわちアクセス網１００の内部構成をコア網２００側で管理しており、コア網２００とアクセス網１００をそれぞれ独立に管理運用するという要求を満たしていない。
【００１７】
また、従来の通信網では、アクセス網ポリシ制御装置１０は、コア網２００から通知されたαとβの対応関係が正しいかどうかを確認することができず、コア網ポリシ制御装置２０の管理しているデータベースに不整合等があったとしてもそれを検知できない。
【００１８】
本発明は上記の点に鑑みてなされたものであり、コア網側でアクセス網の内部構成を管理させることなく連携を実現するとともに、アクセス網のポリシ制御装置において、コア網から通知された位置非依存アドレスと位置依存アドレスの対応関係が正しいか否かを確認することを可能とした技術を提供することを目的とする。
【課題を解決するための手段】
【００１９】
上記の課題を解決するために、本発明は、コア網のポリシ制御装置とアクセス網のポリシ制御装置が連携してＱｏＳサービスを提供する通信網において、前記コア網のポリシ制御装置と前記アクセス網のポリシ制御装置を備える通信システムであって、
前記コア網のポリシ制御装置と前記アクセス網のポリシ制御装置との間で送受信されるメッセージを中継するアクセス網のＧＷ装置を更に備え、
前記ＧＷ装置は、端末の位置依存アドレスと前記アクセス網のポリシ制御装置のアドレスとの対応関係を保持し、
前記コア網のポリシ制御装置は、端末の位置非依存アドレスと位置依存アドレスとの対応関係を含むメッセージを受信したときに、当該メッセージに含まれる対応関係を保持し、前記位置非依存アドレスを含むＱｏＳサービス指示を受信したときに、当該対応関係に基づいて前記位置依存アドレスを前記ＱｏＳサービス指示に付加して前記ＧＷ装置に送信し、
前記ＱｏＳサービス指示を受信した前記ＧＷ装置が、前記端末の位置依存アドレスと前記アクセス網のポリシ制御装置のアドレスとの対応関係に基づいて、前記ＱｏＳサービス指示を前記位置依存アドレスに対応するアクセス網のポリシ制御装置に送信し、
前記アクセス網のポリシ制御装置は、端末の位置非依存アドレスと位置依存アドレスとの対応関係を含むメッセージを受信したときに、当該メッセージに含まれる対応関係を保持し、当該対応関係を保持した後に、前記位置非依存アドレスと前記位置依存アドレスを含む前記ＱｏＳサービス指示を受信したときに、当該対応関係に基づいて、当該ＱｏＳサービス指示に含まれるアドレスの正当性を確認することを特徴とする通信システムとして構成される。
また、本発明は、コア網のポリシ制御装置とアクセス網のポリシ制御装置が連携してＱｏＳサービスを提供する通信網において、前記コア網のポリシ制御装置と前記アクセス網のポリシ制御装置との間で送受信されるメッセージを中継するＧＷ装置と、前記アクセス網のポリシ制御装置とを備える通信システムであって、
前記ＧＷ装置は、
端末の位置依存アドレスと前記アクセス網のポリシ制御装置のアドレスとの対応関係を保持する対応関係格納手段と、
前記コア網のポリシ制御装置から送出されたＱｏＳサービス指示であって、端末の位置依存アドレスと位置非依存アドレスとを含むＱｏＳサービス指示を受信する受信手段と、
前記ＱｏＳサービス指示の中の位置依存アドレスに基づいて、前記対応関係格納手段を参照することにより、当該位置依存アドレスに対応するアクセス網のポリシ制御装置を特定する特定手段と、
前記特定手段により特定されたアクセス網のポリシ制御装置に前記ＱｏＳサービス指示を送信する送信手段とを備え、
前記アクセス網のポリシ制御装置は、端末の位置非依存アドレスと位置依存アドレスとの対応関係を含むメッセージを受信したときに、当該メッセージに含まれる対応関係を保持し、当該対応関係を保持した後に、前記位置非依存アドレスと前記位置依存アドレスを含む前記ＱｏＳサービス指示を受信したときに、当該対応関係に基づいて、当該ＱｏＳサービス指示に含まれるアドレスの正当性を確認することを特徴とする通信システムとして構成することもできる。
【００２０】
また、本発明は、コア網のポリシ制御装置とアクセス網のポリシ制御装置が連携してＱｏＳサービスを提供する通信網において、前記コア網のポリシ制御装置と前記アクセス網のポリシ制御装置を備える通信システムであって、
前記コア網のポリシ制御装置と前記アクセス網のポリシ制御装置との間で送受信されるメッセージを中継するコア網のＧＷ装置とアクセス網のＧＷ装置を更に備え、
前記コア網のＧＷ装置は、端末の位置非依存アドレスと前記コア網のポリシ制御装置のアドレスとの対応関係を保持し、前記アクセス網のＧＷ装置は、端末の位置依存アドレスと前記アクセス網のポリシ制御装置のアドレスとの対応関係を保持し、
前記コア網のＧＷ装置は、端末の位置非依存アドレスと位置依存アドレスとの対応関係を含むメッセージを受信したときに、前記端末の位置非依存アドレスと前記コア網のポリシ制御装置のアドレスとの対応関係に基づいて、前記メッセージを前記位置非依存アドレスに対応するコア網のポリシ制御装置に送信し、
前記メッセージを受信した前記コア網のポリシ制御装置は、前記メッセージに含まれる対応関係を保持し、前記位置非依存アドレスを含むＱｏＳサービス指示を受信したときに、当該対応関係に基づいて前記位置依存アドレスを前記ＱｏＳサービス指示に付加して前記アクセス網のＧＷ装置に送信し、
前記ＱｏＳサービス指示を受信した前記アクセス網のＧＷ装置が、前記端末の位置依存アドレスと前記アクセス網のポリシ制御装置のアドレスとの対応関係に基づいて、前記ＱｏＳサービス指示を前記位置依存アドレスに対応するアクセス網のポリシ制御装置に送信することを特徴とする通信システムとして構成することもできる。
【００２１】
また、前記アクセス網のポリシ制御装置は、端末の位置非依存アドレスと位置依存アドレスとの対応関係を含むメッセージを受信したときに、当該メッセージに含まれる対応関係を保持し、当該対応関係を保持した後に、前記位置非依存アドレスと前記位置依存アドレスを含むメッセージを前記コア網から受信したときに、当該対応関係に基づいて、当該メッセージに含まれるアドレスの正当性を確認するように構成してもよい。
【００２２】
また、本発明は、上述した各ＧＷ装置として構成することもでき、更に、上記通信システムが実行するポリシ制御装置連携方法として構成することもできる。
【発明の効果】
【００２３】
本発明によれば、コア網側でアクセス網の内部構成を管理させることなく連携を実現するとともに、アクセス網のポリシ制御装置において、コア網から通知された位置非依存アドレスと位置依存アドレスの対応関係が正しいか否かを確認することが可能となる。
【図面の簡単な説明】
【００２４】
【図１】従来技術を説明するための図である。
【図２】第１の実施の形態に係る通信網のシステム構成図である。
【図３】アクセス網GW装置３０の機能構成図である。
【図４】コア網GW装置４０の機能構成図である。
【図５】第２の実施の形態に係る通信網のシステム構成図である。
【図６】第３の実施の形態に係る通信網のシステム構成図である。
【発明を実施するための形態】
【００２５】
以下、図面を参照して本発明の実施の形態を説明する。本発明に係る提案方式として３つの方式があり、これら３つの方式をそれぞれ第１の実施の形態、第２の実施の形態、第３の実施の形態として説明する。以下では、従来技術と異なる部分を中心に説明を行うこととする。
【００２６】
＜第１の実施の形態＞
（システム構成）
図２は、第１の実施の形態に係る通信網のシステム構成図である。図２は、装置の接続構成を示すとともに、装置が備える各テーブル、及び、後の動作説明で参照する処理手順を示している。
【００２７】
図２に示すように、第１の実施の形態における通信網は、従来の通信網に対して、アクセス網側のGW装置３０（アクセス網GW装置３０と呼ぶ）、及びコア網側のGW装置４０（コア網GW装置４０と呼ぶ）を加えた構成を有する。アクセス網GW装置３０、及びコア網GW装置４０は、アクセス網ポリシ制御装置１０とコア網ポリシ制御装置２０とが互いにメッセージをやり取りする際に、当該メッセージを中継する位置に配備される。
【００２８】
各GW装置は、自装置が配備された網内の内部構成(端末アドレス(αまたはβ)と当該端末が送受信するパケットに対して処理を行うポリシ制御装置の対応関係)の情報をテーブルとして静的に保持している。
【００２９】
すなわち、図２でテーブル１として示しているように、アクセス網GW装置３０は、βとアクセス網ポリシ制御装置１０のIPアドレスの対応関係を静的に保持している。なお、複数の端末に関する処理が同一のポリシ制御装置により行われる場合は、サブネットの表記により対応関係を集約して保持してもよい。
【００３０】
アクセス網GW装置３０は、コア網２００からβを含むメッセージを受信した際に、テーブル１を参照することにより、当該メッセージをβに対応する適切なアクセス網ポリシ制御装置１０に転送することが可能である。
【００３１】
また、図２でテーブル２として示しているように、コア網GW装置４０は、αとコア網ポリシ制御装置２０のIPアドレスの対応関係を静的に保持している。なお、複数の端末に関する処理が同一のポリシ制御装置により行われる場合は、サブネットの表記により対応関係を集約して保持してもよい。
【００３２】
コア網GW装置４０は、アクセス網１００からαを含むメッセージを受信した際に、テーブル２を参照することにより、αに対応する適切なコア網ポリシ制御装置２０に転送することが可能である。 
アクセス網ポリシ制御装置１０は、αとβの対応関係を含む接続通知を受信し、αとβの対応関係を記憶手段にテーブル（図２に示すテーブルA）として記憶手段に格納する機能を備えている。
【００３３】
更に、アクセス網ポリシ制御装置１０は、メッセージを受信した場合には、メッセージ中のβ(またはα)をキーに、テーブルAとして保持しているα,βの関係からα(またはβ)を参照し、これをメッセージ中のα(またはβ)と照合し、メッセージ中のαとβの関係が正しいことを確認する機能（図２のアドレス確認部１３）を備える。
【００３４】
コア網ポリシ制御装置２０は、αとβの対応関係を含む接続通知を受信し、αとβの対応関係を記憶手段にテーブル（図２に示すテーブルB）として格納する機能を備えている。
【００３５】
更に、コア網ポリシ制御装置２０は、アプリケーション機能２４からαによりQoSサービス指示を受けた際、これにβの情報を付加して、コア網GW装置４０及びアクセス網ＧＷ装置３０を通じてアクセス網ポリシ制御装置１０に通知する機能（図２のアドレス情報付加・サービス指示部２５）を備える。
【００３６】
図３に、アクセス網GW装置３０の機能構成図を示す。図３に示すように、アクセス網GW装置３０は、メッセージ受信部３１、転送先アクセス網ポリシ制御装置特定部３２、メッセージ送信部３３、及びテーブル１を格納するアドレス対応関係格納部３４を有する。
【００３７】
図３の構成において、メッセージ受信部３１が対応関係（α、β）を含むメッセージを受信し、転送先アクセス網ポリシ制御装置特定部３２が当該メッセージ中の対応関係の中のβを用いてアドレス対応関係格納部３４を参照することにより、転送先となるアクセス網ポリシ制御装置１０を特定し、そのIPアドレスを取得する。そして、メッセージ送信部３３が、当該IPアドレスを用いて、特定されたアクセス網ポリシ制御装置１０にメッセージを転送する。
【００３８】
図４に、コア網GW装置４０の機能構成図を示す。図４に示すように、コア網GW装置４０は、メッセージ受信部４１、転送先コア網ポリシ制御装置特定部４２、メッセージ送信部４３、及びテーブル２を格納するアドレス対応関係格納部４４を有する。
【００３９】
図４の構成において、メッセージ受信部４１が対応関係（α、β）を含むメッセージを受信し、転送先コア網ポリシ制御装置特定部４２が当該メッセージ中の対応関係の中のαを用いてアドレス対応関係格納部４３を参照することにより、転送先となるコア網ポリシ制御装置２０を特定し、そのIPアドレスを取得する。そして、メッセージ送信部４４が、当該IPアドレスを用いて、特定されたコア網ポリシ制御装置２０にメッセージを転送する。
【００４０】
コア網ＧＷ装置４０、アクセス網ＧＷ装置３０はいずれも、コンピュータの構成を含む通信装置に、実施の形態で説明する処理内容を記述したプログラムを実行させることにより実現可能である。すなわち、上記装置の各部が有する機能は、当該装置を構成するコンピュータに内蔵されるＣＰＵやメモリなどのハードウェア資源を用いて、各部で実施される処理に対応するプログラムを実行することによって実現することが可能である。また、該プログラムは、当該プログラムを記録したＦＤ、ＣＤ−ＲＯＭ、ＤＶＤなどの記録媒体や、インターネットなどのネットワークを介して市場に流通させることができる。
【００４１】
また、上記のようにプログラムで機能を実現することの他、該当の機能を実装したハードウェア回路を用いてコア網ＧＷ装置４０、アクセス網ＧＷ装置３０を実現することもできる。
【００４２】
また、各ポリシ制御装置において、従来技術に対して新たに加える機能についても、プログラムで実現してもよいし、ハードウェア回路で実現してもよい。
【００４３】
ＧＷ装置の機能、及びポリシ制御装置の新たな機能について、プログラム及びハードウェア回路のどちらでも実現可能な点は他の実施の形態においても同様である。
【００４４】
（処理動作）
以下、第１の実施の形態におけるコア網ポリシ制御装置２０とアクセス網ポリシ制御装置１０を連携させるための処理として、（１）端末接続時の処理(連携における前処理)、及び（２）QoSサービス実行時の処理(実際の連携)を図２を参照して説明する。
【００４５】
（１）端末接続時の処理(連携先特定における前処理)
端末１２がアクセス網１００およびコア網２００に接続し、IPアドレス払い出しとトンネルの設定を受けた際(ステップ１)に、これを検知したアクセス網１００のルータ１１は対応するアクセス網ポリシ制御装置１０にα、βの対応関係を通知する(ステップ２)。アクセス網ポリシ制御装置１０はこの対応関係を保持する(ステップ３)。
【００４６】
アクセス網ポリシ制御装置１０は上記対応関係をアクセス網GW装置３０を通じてコア網GW装置４０に通知し、コア網GW装置４０は、転送先コア網ポリシ制御装置特定部４２によりテーブル2を参照して、αに対応する適切なコア網ポリシ制御装置２０を特定し、特定したコア網ポリシ制御装置２０に上記対応関係を通知する(ステップ４)。コア網ポリシ制御装置２０は、受信したαとβの対応関係を記憶手段にテーブルＢとして保持する(ステップ５)。
【００４７】
（２）QoSサービス実行時の処理(実際の連携)
コア網ポリシ制御装置１０がαによりポリシ制御の指示を受ける(ステップ６)と、ユーザプロファイルを参照して、指示に係るサービスが当該ユーザに許容されているサービスかどうかを確認するとともに、アドレス情報付加・サービス指示部２５によりテーブルＢを参照することで、βを含むメッセージ（QoSサービス指示）を作成し、当該メッセージをコア網GW装置４０を通じてアクセス網GW装置３０に通知する。通知を受けたアクセス網GW装置３０は、転送先アクセス網ポリシ制御装置特定部３２によりテーブル1を参照して、βに対応するアクセス網ポリシ制御装置１０を特定し、特定されたアクセス網ポリシ制御装置１０にポリシ制御の指示を行う(ステップ７)。
【００４８】
そして、アクセス網ポリシ制御装置１０は、アドレス確認部１３によりテーブルＡを参照し、受信した指示に含まれるアドレスの正当性の確認を行うとともに、ネットワークリソースのプロファイルを参照してQoSサービスに必要なリソース(帯域)を確保し、アクセス網１００のルータ１１にQoSサービス実行を指示する(ステップ８)。
＜第２の実施の形態＞
（システム構成）
図５は、第２の実施の形態に係る通信網のシステム構成図である。図５は、装置の接続構成を示すとともに、装置が備える各テーブル、及び、後の動作説明で参照する処理手順を示している。
【００４９】
図５に示すように、第２の実施の形態における通信網は、従来の通信網に対して、アクセス網GW装置３０を加えた構成を有する。アクセス網GW装置３０は、アクセス網ポリシ制御装置１０とコア網ポリシ制御装置２０とが互いにメッセージをやり取りする際に、当該メッセージを中継する位置に配備される。
【００５０】
アクセス網GW装置３０は、アクセス網内の内部構成(端末アドレスβと当該端末が送受信するパケットに対して処理を行うポリシ制御装置の対応関係)の情報をテーブルとして静的に保持している。
【００５１】
すなわち、図５でテーブル１として示しているように、アクセス網GW装置３０は、βとアクセス網ポリシ制御装置１０のIPアドレスの対応関係を静的に保持している。なお、複数の端末に関する処理が同一のポリシ制御装置により行われる場合は、サブネットの表記により対応関係を集約して保持してもよい。
【００５２】
アクセス網GW装置３０は、コア網２００からβを含むメッセージを受信した際に、テーブル１を参照することにより、当該メッセージを、βに対応する適切なアクセス網ポリシ制御装置１０に転送することが可能である。
【００５３】
アクセス網ポリシ制御装置１０は、コア網ポリシ制御装置２０から送出されたαとβの対応関係を含む接続通知をアクセス網ＧＷ装置３０を通じて受信し、αとβの対応関係を記憶手段にテーブル（図５に示すテーブルA）として格納する機能を備えている。
【００５４】
更に、アクセス網ポリシ制御装置１０は、メッセージを受信した場合には、メッセージ中のβ(またはα)をキーに保持しているα,βの関係からα(またはβ)を参照し、これをメッセージ中のα(またはβ)と照合し、メッセージ中のαとβの関係が正しいことを確認する機能（図５のアドレス確認部１３）を備える。
【００５５】
コア網ポリシ制御装置２０は、αとβの対応関係を含む接続通知をＧＷ２２から受信し、αとβの対応関係を記憶手段にテーブル（図５に示すテーブルB）として格納する機能を備えている。
【００５６】
更に、コア網ポリシ制御装置２０は、アプリケーション機能２４からαによりQoSサービス指示を受けた際、テーブルＢを参照して、これにβの情報を付加して、アクセス網GW装置３０を通じてアクセス網ポリシ制御装置１０に通知する機能（図５のアドレス情報付加・サービス指示部２５）を備える。
【００５７】
第２の実施の形態におけるアクセス網ＧＷ装置３０の機能構成は、図３に示した機能構成と同様である。
【００５８】
（処理動作）
以下、第２の実施の形態におけるコア網ポリシ制御装置２０とアクセス網ポリシ制御装置１０を連携させるための処理として、（１）端末接続時の処理(連携における前処理)、及び（２）QoSサービス実行時の処理(実際の連携)を図５を参照して説明する。
【００５９】
（１）端末接続時の処理(連携先特定における前処理)
端末１２がアクセス網１００およびコア網２００に接続し、IPアドレス払い出しとトンネルの設定を受けた際(ステップ１)に、これを検知したコア網２００のGW２２は対応するコア網ポリシ制御装置２０にα、βの対応関係を通知する(ステップ２)。コア網ポリシ制御装置２０はこの対応関係をテーブルＢとして保持する（ステップ３）。
【００６０】
コア網ポリシ制御装置２０は上記対応関係をアクセス網ＧＷ装置３０を通じてアクセス網ポリシ制御装置１０に向けて送信し、上記対応関係を中継するアクセス網ＧＷ装置３０が、転送先アクセス網ポリシ制御装置特定部３２によりテーブル１を参照して、βに対応する適切なアクセス網ポリシ制御装置１０を特定し、特定されたアクセス網ポリシ制御装置１０に上記対応関係を通知する(ステップ４)。アクセス網ポリシ制御装置１０は、受信したαとβの対応関係をテーブルＡとして保持する(ステップ５)。
【００６１】
（２）QoSサービス実行時の処理(実際の連携)
コア網ポリシ制御装置２０がαによりポリシ制御の指示を受ける(ステップ６)と、ユーザプロファイルを参照して、指示に係るサービスが当該ユーザに許容されているサービスかどうかを確認するとともに、アドレス情報付加・サービス指示部２５によりβを含むメッセージを作成し、アクセス網GW装置３０に通知する。通知を受けたアクセス網GW装置３０は、転送先アクセス網ポリシ制御装置特定部３２によりテーブル1を参照して、βに対応する適切なアクセス網ポリシ制御装置１０を特定し、特定されたアクセス網ポリシ制御装置１０にポリシ制御の指示を行う(ステップ７)。
【００６２】
アクセス網ポリシ制御装置１０は、アドレス確認部１３によりテーブルＡを参照し、受信した指示に含まれるアドレスの正当性の確認を行うとともに、ネットワークリソースのプロファイルを参照してQoSサービスに必要なリソース(帯域)を確保し、アクセス網１００のルータ１１にQoSサービス実行を指示する(ステップ８)。
【００６３】
＜第３の実施の形態＞
（システム構成）
図６は、第３の実施の形態に係る通信網のシステム構成図である。図６は、装置の接続構成を示すとともに、装置が備える各テーブル、及び、後の動作説明で参照する処理手順を示している。
【００６４】
第３の実施の形態におけるシステム構成、及び各装置が備えるテーブルは第２の実施の形態と同じである。
【００６５】
第２の実施の形態では、アクセス網ポリシ制御装置１０は、対応関係（α、β）を含む接続通知を、コア網ポリシ制御装置２０からアクセス網ＧＷ装置３０を通じて受信するのに対し、第３の実施の形態では、アクセス網ポリシ制御装置１０は、アクセス網１００のルータ１１から対応関係（α、β）を含む接続通知を受信する。この点が第２の実施の形態と異なる点である。
【００６６】
（処理動作）
以下、第３の実施の形態におけるコア網ポリシ制御装置２０とアクセス網ポリシ制御装置１０を連携させるための処理として、（１）端末接続時の処理(連携における前処理)、及び（２）QoSサービス実行時の処理(実際の連携)を図６を参照して説明する。
【００６７】
（１）端末接続時の処理(連携先特定における前処理)
端末１２がアクセス網１００およびコア網２００に接続し、IPアドレス払い出しとトンネルの設定を受けた際(ステップ１)に、これを検知したコア網２００のGW２２は対応するコア網ポリシ制御装置２０にα、βの対応関係を通知する(ステップ２)。コア網ポリシ制御装置２０はこの対応関係をテーブルＢとして保持する（ステップ３）。
【００６８】
アクセス網側ルータ１１も同様に、アクセス網ポリシ制御装置１０にα、βの対応関係を通知する(ステップ４)。アクセス網ポリシ制御装置１０はこの対応関係をテーブルＡとして保持する(ステップ５)。
【００６９】
（２）QoSサービス実行時の処理(実際の連携)
コア網ポリシ制御装置２０がαによりポリシ制御の指示を受ける(ステップ６)と、ユーザプロファイルを参照して、指示に係るサービスが当該ユーザに許容されているサービスかどうかを確認するとともに、アドレス情報付加・サービス指示部２５によりβを含むメッセージを作成し、アクセス網GW装置３０に通知する。通知を受けたアクセス網GW装置３０は、転送先アクセス網ポリシ制御装置特定部３２によりテーブル1を参照して、βに対応する適切なアクセス網ポリシ制御装置１０を特定し、特定されたアクセス網ポリシ制御装置１０にポリシ制御の指示を行う(ステップ７)。
【００７０】
アクセス網ポリシ制御装置１０は、アドレス確認部１３によりテーブルＡを参照し、受信した指示に含まれるアドレスの正当性の確認を行うとともに、ネットワークリソースのプロファイルを参照してQoSサービスに必要なリソース(帯域)を確保し、アクセス網１００のルータ１１にQoSサービス実行を指示する(ステップ８)。
【００７１】
（実施の形態の効果）
本発明の各実施の形態に係る技術によれば、アクセス網ＧＷ装置３０、もしくは、アクセス網ＧＷ装置３０及びコア網ＧＷ装置４０を導入したので、コア網・アクセス網のポリシ制御装置に他網の内部構成(端末アドレスと当該端末が送受信するパケットに対して処理を行うポリシ制御装置の対応関係) の情報を持たせる必要がなくなり、コア網とアクセス網をそれぞれ独立に管理運用することができる。
【００７２】
また、アクセス網ポリシ制御装置１０にαとβの対応関係を保持させることとしたので、アクセス網ポリシ制御装置１０において、コア網２００から通知されたαとβの対応関係が正しいことを確認することが可能になる。これにより、コア網ポリシ制御装置２０の管理しているデータベースの不整合等に備えることができる。
【００７３】
本発明は、上記の実施の形態に限定されることなく、特許請求の範囲内において、種々変更・応用が可能である。
【符号の説明】
【００７４】
１０  アクセス網ポリシ制御装置
１１  ルータ
１２  端末
１３  アドレス確認部
２０  コア網ポリシ制御装置
２１  ルータ
２２  ＧＷ
２３  端末
２４  アプリケーション機能
２５  アドレス情報付加・サービス指示部
３０  アクセス網ＧＷ装置
３１  メッセージ受信部
３２  転送先アクセス網ポリシ制御装置特定部
３３  メッセージ送信部
３４  アドレス対応関係格納部
４０  コア網GW装置
４１  メッセージ受信部
４２  転送先コア網ポリシ制御装置特定部
４３  メッセージ送信部
４４  アドレス対応関係格納部
１００  アクセス網
２００  コア網
【図１】
0005514138.tif 000002
【図２】
0005514138.tif 000003
【図３】
0005514138.tif 000004
【図４】
0005514138.tif 000005
【図５】
0005514138.tif 000006
【図６】
0005514138.tif 000007